(57)【要約】【課題】  従来の墨つぼの様に、使用時に目的面に対し平行かつ密着してぴんと張った糸を掴むのは作業時の軍手をした手はおろか素手でさえ掴みにくいという難点があり、そのことにより受けるストレスや掴みきるまで時間がかかるためにおこる作業効率の低下という問題があった。【解決手段】  本来人の指とは、アール型をしているため、どうしても目的面に対して平行かつ密着している糸を掴むのは大変なことだが、操作つまみを動かすことだけで糸を簡単に上げ下げしストレスなく糸を掴みやすい高さまで動かすことができるようにすれば今まで困難とされてきた問題は解決する。【選択図】図１
2011056654.tif 000002
【特許請求の範囲】
【請求項１】
ケースと、そのケース内部に収納された正転逆転が可能な糸巻き出し具と、この糸巻き出し具に巻装され、ケース外部への引き出しが可能で、先端に糸止着具が撃着された糸と、糸出し口への経路に、糸への墨汁の付着浸透を目的とした墨室を備え、外部へ引き出された糸先端を一方の起点に、糸張りした状態でもう一方の起点へと目的面に対し糸を密着させる、この状態において、外部からの付勢力により反発力を生じる弾性体と、引っ掛け部、つば部を利用し接触部材の移動を可能にできる操作用動部と、糸掛けできる凹部を備えスライドする事の出来る長尺状の棒材、これらを有する事により墨つぼ使用時における糸掴みを容易に出来る事を目的とした機能を備えたことを特徴とする墨つぼ。
【請求項２】
弾性体として、スプリング、押しバネを備えたことを特徴とした請求項１に記載の墨つぼである。
【請求項３】
接触部材の移動に適した引っ掛け部、つば部を有し指あての良い凸凹ある指触部を備えた操作用動部であることを特徴とした請求項１又は請求項２に記載の墨つぼである。
【請求項４】
糸ずれ防止溝、糸掛け凹部に糸をセットした状態でスライドすることを可能にした請求項１ないし請求項３いずれかに記載の墨つぼである。
【発明の詳細な説明】
【技術分野】
【０００１】  本発明は、木工、あるいは建築においての墨つぼ使用時での糸を掴み易くする為の糸上下機能を備えた墨つぼに関する。
【背景技術】
【０００２】  建築，木工材えの墨打ち、線引き作業で使用される墨つぼの一種として従来から下記の特許文献１に示す構造のものがある。
【特許文献１】  実開平０７−１１２８４号  公報
【０００３】  この墨つぼは、ぜんまいの巻き強さの調整により糸の巻き出しをスムーズにした糸巻き具を備え墨汁が充填された墨室を通ることにより、糸に墨汁が付着浸透した後、糸出し口から外部へと繰り出される、その糸の先端を止着させる事を目的とした止着具（かるこ）を備え、なおかつ糸への一定の墨汁付着浸透を可能にする手動ポンプが設けられている。【０００４】  これらの墨つぼによる線引の過程で、まず起点にかるこを止着させた後に手動ポンプに圧力を加え糸に墨汁を付着浸透させた状態で墨つぼをもう一方の起点まで移動し、糸に適当な張りを持たせた状態で目的面に密着させる、その後指でその糸を摘みあげ弾くことにより墨による線引を可能にする。
【発明の概要】
【発明が解決しようとする課題】
【０００５】  しかし従来の墨つぼでは糸張りした後、目的面に対し密着させた糸を指で掴むのだが、軍手をした手や素手でさえその糸を掴むのは容易なことではなかった、なぜならば糸を弾くために糸張りした糸には、ゆるみもたるみもなく、なおかつ面に対して密着しているためである。【０００６】  糸が掴みにくく時間が掛かり過ぎてしまうという事は、一度付着させた墨汁が外気にさらされてるうちに乾いてしまい糸を弾いてもうまく転写、線引が出来ないこともある。【０００７】  従来の墨つぼでは、使用時目的面と密着しかつ平行にぴんと張った後の糸を掴み上げ弾くのだが、その時素手でさえも糸を掴み難い所が解決しようとする課題である。【０００８】  一度で糸が掴み難いという事は、ストレスを感じたり何より時間が掛かるため作業性が悪い事にもなる。
【課題を解決するための手段】
【０００９】  使用時、目的面に密着した糸を素手や軍手をした手でも簡単に掴める高さまで自由に上げ下げさせられる事により、容易に糸を掴み易くする為の手段である。【００１０】  糸を素手でも掴み易い高さとは、糸と密着した目的面との間に約１．５ｃｍ程の離隔を自由につくり出すこと、つまり指でストレスなく掴める高さである。
【発明の効果】
【００１１】  上述したように本発明の機能は糸を掴み損ねる事によるストレスを無くすだけでなく、容易に作業効率を上げる効果も期待出来るものである。【００１２】  上述した請求項１に記載した構造を備える墨つぼならば、指先での操作を可能にした操作用動部を備えてあるという事は、機械ではなしえない微調整はもちろんのこと電池交換も不要であり経済的にもローコストなのである。【００１３】  本発明は、一方の起点にかるこをセットし、糸張りした後にもう一方の起点には、凹部に糸をセットし目的面に本体を押さえつけた状態で指一本での操作により糸と目的面との間に１．５ｃｍ程の空間を作り出すことが出来る、すなわち糸が掴みやすいという事になる。【００１４】  反発体にバネを使用することにより、反発範囲の枠を広げるとともに、単純構造とし破損、故障を防ぐとともに製造上ローコストにもなる。
【図面の簡単な説明】
【００１５】
【図１】  操作用動部であるスライド式操作つまみ一つを動かした状態で、使用状態の一例を示した断面図である。
【図２】  押しバネの反発力が常にかかり定位置で静止した状態を示す斜め上、正面図である。
【発明を実施するための形態】
【００１６】  添付図面により本発明の実施の形態を図面を参照しながら説明する、図１は反発体である押しバネが収納されたＢＯＸの内部を見えるようにした断面図、指先の圧力の加減とバネの反発力を利用してスライドすることを可能にしたスライド式操作つまみ、バネの反発力とスライド式操作つまみにかける圧力を利用し共にスライドを可能にした凹部を備え付けたことを特徴としたスライド板である。
【００１７】  図１−１のバネは押しバネを使用し、６のスライド板は通常図２のようにバネの反発力を利用し定位置にあるのだが、図１の様に２のスライド式操作つまみを動かすことにより１のバネは縮み、おのずとそれに連動し６のスライド板は上に移動する、その結果、指で容易に糸を掴める間隔をつくり出すことが出来るという事になる。
【００１８】  図１の２のスライド式操作つまみはあくまでも左右非連動とし、使用者が使いやすい利き手や、好きな指で操作しやすい方のつまみだけ動かせるようにする。
【００１９】  なお、図１の３の操作つまみ用レールは操作つまみが動きやすく、かつ外れない様にするためのもので、４と５は、６のスライド板が２のスライド式操作つまみから指を離したことで１の押しバネの反発力により戻りすぎるという事を防ぐため定位置で止まる目的で設けられた４のスライド板ストッパーであり、５はそれを止めるためのスライド板ストッパーあてである、７は使用時糸掛けすることを目的とした凹部である。
【００２０】  必要とあれば、３の操作つまみ用レールや、１の押しバネが収納されたＢＯＸ自体を墨つぼ本体に内蔵することにより、デザイン性、操作性にも優れるものとする。
【符号の説明】
【００２１】（  １  ）……  押しバネ
（  ２  ）……  スライド式操作つまみ
（  ３  ）……  操作つまみ用レール
（  ４  ）……  スライド板ストッパー
（  ５  ）……  スライド板ストッパーあて
（  ６  ）……  スライド板
（  ７  ）……  糸ずれ防止用凹部
【図１】
2011056654.tif 000003
【図２】
2011056654.tif 000004